(57)【要約】【課題】  記憶容量を節約しながら効率よく画像データの保存を可能にする。【解決手段】  監視すべき画像を含む文書を処理した時の画像履歴の保存方法を管理者が設定できるようにする。【選択図】        図１
2006295446.tif 000002
【特許請求の範囲】
【請求項１】
監視画像を識別するための特徴情報を設定するための監視画像設定手段と、入力画像信号から特徴情報を抽出する特徴抽出手段と、前記特徴情報を用いて入力画像が監視画像であるかどうかを判断する判断手段と、画像データを記憶装置に記憶する記憶手段とを有する画像処理装置において、入力画像が監視画像であると判断された時にその監視画像を含む文書の保存方法を管理者が設定する保存方法設定手段を持つことを特徴とする画像処理装置。
【請求項２】
請求項１記載の画像処理装置において、前記保存方法は監視画像に一致すると判断された画像のみを保存する設定を含むことを特徴とする画像処理装置。
【請求項３】
請求項１記載の画像処理装置において、前記保存方法は監視画像に一致すると判断された画像を含む文書の全てのページの画像を保存する設定を含むことを特徴とする画像処理装置。
【請求項４】
請求項１記載の画像処理装置において、前記保存方法は監視画像に一致すると判断された画像とその前後のページを保存する設定を含むことを特徴とする画像処理装置。
【請求項５】
請求項１記載の画像処理装置において、前記保存方法は監視画像に一致すると判断された画像と文書の先頭ページを保存する設定を含むことを特徴とする画像処理装置。
【請求項６】
請求項１記載の画像処理装置において、前記保存方法は監視画像に一致すると判断された画像はオリジナルの解像度で保存し、それ以外のページはサムネイル画像で保存する設定を含むことを特徴とする画像処理装置。
【発明の詳細な説明】
【技術分野】
【０００１】
本発明は、処理した画像データを効率良く蓄積、管理するための画像処理装置に関するものである。
【背景技術】
【０００２】
画像処理装置の普及に従って、誰でも原稿の複写や送信を容易に行うことが可能になっている。これらはユーザにとっての利便性向上の反面、機密原稿などの複写や送信といった情報漏洩の観点では非常に問題となっている。このような問題への対策として、複写や送信などの際に、読み取った画像データを全て記録装置に蓄積しておく画像処理装置が存在する。こうした装置では管理者が前記画像データを確認することによって、情報漏洩した原稿がいつ、どこで、どのような処理をされたかを追跡可能になるといった効果がある。
【特許文献１】特開平６−２７０４７７号公報
【発明の開示】
【発明が解決しようとする課題】
【０００３】
上述した従来の画像処理装置では読み取った画像データを全て記録装置に蓄積しておくため、膨大な量の記憶容量を必要とするという問題がある。また、情報漏洩が発生した場合に、いつ、どこで、どのような処理をされたかを追跡するためには管理者が膨大な量の画像データを逐一確認する必要があり、非常に多くの時間を必要としていた。
【０００４】
また、主に紙幣や有価証券などの偽造防止を目的として、予めこれらの画像パターンを記録しておき、読み取った画像データの特徴を抽出し特定原稿であると判定した場合に、その画像データをその操作履歴とともに記録装置に蓄積する手段を備える画像処理装置が存在している。しかしこうした画像処理装置では、特定画像そのものの画像データは保存されるものの、その画像データを含む文書として画像データの保存処理が行なわれるわけではない。一般に複写や送信は複数のページから成る文書として処理されるため、履歴の追跡が必要になった場合、特定画像を含む文書全体として保存できるほうが効果的である場合が少なくない。
【０００５】
本発明は上記問題点に鑑みてなされたものであり、監視すべき画像を含む文書を処理した時の画像履歴の保存方法を管理者が設定できるようにすることにより、記憶容量を節約しながら効率よく画像データの保存を可能にする画像処理装置を提供することを目的とする。
【課題を解決するための手段】
【０００６】
前記目的を達成するため、本発明の画像処理装置は、監視画像を識別するための特徴情報を設定するための監視画像設定手段と、入力画像信号から特徴情報を抽出する特徴抽出手段と、前記特徴情報を用いて入力画像が監視画像であるかどうかを判断する判断手段と、画像データを記憶装置に記憶する記憶手段とを有する画像処理装置において、入力画像が監視画像であると判断された時にその監視画像を含む文書の保存方法を管理者が設定する保存方法設定手段を持つことを特徴とする。
【発明の効果】
【０００７】
本発明の画像処理装置によれば、監視すべき画像を含む文書を処理した時の画像履歴の保存方法を管理者が設定できるように構成したので、記憶容量を節約しながら効率よく画像データの保存をすることが可能となる。
【発明を実施するための最良の形態】
【０００８】
以下、本発明の発明を実施するための最良の形態について図面を用いて説明する。
【実施例】
【０００９】
図１は本発明を実施した複写機の構成を示すブロック図である。画像入力手段１０１は原稿読取装置によって原稿を読み取って、画像信号に変換する。この画像信号を受け取った画像処理手段１０２は、操作部からの指示に従って記録紙に出力する処理を行ったり、指定されたあて先に送信したりする処理を行う。特徴抽出手段１０３は入力部からの画像信号の特定の特徴を抽出し、特徴データを出力する。判断手段１０４は監視画像の特徴データと読み取った画像の特徴データを比較して監視画像であるかどうかを判断する。操作部１０５は画像処理装置に対して、複写や送信などの指示をしたり、監視画像を処理した際の保存方法を設定する手段を管理者ユーザに提供したりする。記憶部１０６は、入力画像と抽出された特徴量を、操作履歴データとともに記憶する。ここで操作履歴とは、ユーザ名やユーザＩＤなど操作を行ったユーザを特定する情報、およびコピー、ファクス、スキャンなどの機能種別、操作日時などの情報である。
【００１０】
図２は、本実施形態における複写機のシステム構成を示すブロック図である。コントローラユニット（Ｃｏｎｔｒｏｌｌｅｒ  Ｕｎｉｔ）２０００は画像入力デバイスであるスキャナ２０７０（Ｓｃａｎｎｅｒ）や画像出力デバイスであるプリンタ（Ｐｒｉｎｔｅｒ）２０９５と接続し、一方ではＬＡＮ２０１１や公衆回線（ＷＡＮ）２０５１と接続することで、画像情報やデバイス情報の入出力を行う為のコントローラである。ＣＰＵ２００１はシステム全体を制御するコントローラである。ＲＡＭ２００２はＣＰＵ２００１が動作するためのシステムワークメモリであり、画像データを一時記憶するための画像メモリでもある。
【００１１】
ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００６はタッチパネルを有した操作部（ＵＩ）２０１２とのインターフェース部で、操作部２０１２に表示される画像データを操作部２０１２に対して出力する。また、操作部２０１２から本システム使用者が入力した情報を、ＣＰＵ２００１に伝える役割をする。
【００１２】
ネットワーク（Ｎｅｔｗｏｒｋ）Ｉ／Ｆ２０１０はＬＡＮ２０１１に接続し、情報の入出力を行う。モデム（Ｍｏｄｅｍ）２０５０は公衆回線２０５１に接続し、情報の入出力を行う。以上のデバイスがシステムバス２００７上に配置される。イメージバスＩ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。
【００１３】
ラスターイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラユニット２０００を接続し、画像データの同期系／非同期系の変換を行う。スキャナ画像処理部２０８０は、入力画像データに対し補正、加工、編集を行う。プリンタ画像処理部２０９０は、プリント出力画像データに対して、プリンタの補正、解像度変換等を行う。
【００１４】
画像回転部２０３０は画像データの回転を行う。画像圧縮部２０４０は、多値画像データはＪＰＥＧ、２値画像データはＪＢＩＧ、ＭＭＲ、ＭＨの圧縮伸張処理を行う。ＩＣカードスロット（ＩＣ  Ｃａｒｄ  Ｓｌｏｔ）２１００はＩＣカードメディアを挿入した後に適切なＰＩＮ（Ｐｅｒｓｏｎａｌ  Ｉｄｅｎｔｉｆｉｅｒ  Ｎｕｍｂｅｒ）コードを入力することにより、暗号・復号に用いる鍵の入出力を行うことが可能となる。
【００１５】
暗号・復号処理部２１１０はＩＣカードスロット（ＩＣ  Ｃａｒｄ  Ｓｌｏｔ）２１００の鍵を用いてデータの暗号化・複合化処理を行うハードウェアアクセラレータボードである。
【００１６】
図１に示した画像入力手段、画像処理手段、特徴抽出手段、判断手段は、それぞれ対応するプログラムをＲＡＭ２００２に展開してＣＰＵ２００１が実行することにより実現される。
【００１７】
次に監視画像設定処理について説明する。管理者は、有価証券や紙幣または機密文書など、複写や送信などの処理がなされたことを履歴として残して管理したい画像を監視画像として設定する。監視画像設定は、監視すべき画像を画像読み取り装置から読み取ることによって行なわれる。
【００１８】
図５は監視画像設定処理の流れを示すフローチャートである。ステップ５００から開始する。ステップ５０１において原稿を読み込む。ステップ５０２において監視画像設定モードかどうかを判定する。監視画像設定モードでなければ監視画像設定の処理を終了する。監視画像設定モードであると判断すると、ステップ５０３において画像の特徴量を抽出する。ステップ５０４において、前記ステップで抽出した特徴量を記憶装置に記憶して終了する。
【００１９】
次に保存方法設定手段について説明する。
【００２０】
図３は、所定の操作をすることにより操作部に表示される、保存方法設定の操作画面例である。「該当ページのみ保存」「該当ページを含む文書全てを保存」「該当ページと前後のページを保存」「該当ページと先頭ページを保存」「該当ページ以外はサムネイル画像で保存」の各ボタン（３０１〜３０５）が表示され、ユーザがいずれかを選択してＯＫボタン３０６を押し下げすることによって、選択された保存方法に設定される。なお、この操作はシステム管理者のみが操作可能であるように保護されている。
【００２１】
監視画像を含む文書を処理した場合に保存する画像を、設定ごとに図４を参照しながら説明する。図４は６ページからなる文書の３ページ目が監視画像であった場合の例である。「該当ページのみ保存」が選択されている場合、３ページ目（４０３）を保存する。「該当ページを含む文書全てを保存」が選択されている場合、１ページから６ページ目まで（４０１−４０６）を保存する。「該当ページと前後のページを保存」が選択されている場合、２ページ目から４ページ目（４０２−４０４）を保存する。「該当ページと先頭ページを保存」が選択されている場合１ページ目（４０１）と３ページ目（４０３）を保存する。「該当ページ以外はサムネイル画像で保存」が選択されている場合３ページ目（４０３）は入力画像をそのまま保存し、それ以外のページは解像度を落としたサムネイル画像を保存する。
【００２２】
次に、複写や送信などの処理のために画像を読み込んだ時の処理について図６のフローチャートを参照しながら説明する。ステップ６００から開始する。ステップ６０１において原稿を読み込む。ステップ６０２において画像監視するモードかどうかを判定する。画像監視モードでなければ通常の複写や送信の処理を行い終了する。画像監視モードであると判定されるとステップ６０３において読み込んだ画像の特徴量を抽出する。この特徴量の抽出ステップは、監視画像設定手段における特徴量抽出ステップ５０３と同じである。ステップ６０４において、監視画像設定手段において設定されて保存されている監視画像の特徴量と現在抽出した画像の特徴量を比較する。比較結果を基に、ステップ６０５において監視画像であるかどうかを判定する。特徴量の類似度が所定の値以上の場合は監視画像と判断される。監視画像でなければ複写や送信の処理を行い終了する。監視画像であると判定されると、保存方法設定手段によって定められた保存方法に従って、その画像を保存する（ステップ６０６）。その際、その操作を行ったユーザ名、ユーザＩＤ、日時、処理種別（複写、送信などの種別）などのうち最低一つを含む操作履歴情報も関連付けて記憶する。その後、複写や送信などの処理を行って終了する。
【００２３】
抽出ステップで抽出する特徴量は、色情報や周波数情報からなるものでも良いし、画像中に含まれる文字列をＯＣＲによって抽出したものでもよい。少なくとも入力画像が監視画像であるか否かを判定できるものであればどのようなものを用いてもよい。
【００２４】
以上第一の実施形では複写機内の記憶装置に画像データを含む履歴データを保存する形式したが、第二の実施形ではネットワーク上のストレージサーバ及び履歴管理サーバにそれぞれ画像データ、操作履歴データを保存する。
【００２５】
図７は、第二の実施形態における、複写機７０１が画像データをストレージサーバ７０２へ、履歴データを履歴管理サーバ７０３へ書き込む構成例を示す図である。図７に示す構成では、イーサネット７０４を利用し、複写機７０１からストレージサーバ７０２への画像データを格納する際には、ＨＴＴＰ（Ｈｙｐｅｒ  Ｔｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）、ＳＭＢ（Ｓｅｒｖｅｒ  Ｍｅｓｓａｇｅ  Ｂｌｏｃｋ）のプロトコルを利用しているが、その他の既存のデータ転送可能なプロトコルであれば何れでも構わず、必要に応じて暗号処理を施しても構わない。
【００２６】
また、複写機７０１から履歴管理サーバ７０３への履歴データの書き込みはｓｙｓｌｏｇを利用しているが、こちらも他の既存のロギングプロトコルを利用しても構わない。これらストレージサーバ７０２、履歴管理サーバ７０３へアクセスするために必要な設定情報は複写機７０１のシステム管理者のみが設定可能なように保護されている。
【００２７】
履歴画像や操作履歴のデータをネットワーク上のサーバに保存するように動作する以外は、第一の実施形における動作と同様である。この実施形では履歴データを複写機外に保存できるので、より大容量の履歴データを保存することが可能である。
【図面の簡単な説明】
【００２８】
【図１】本発明の実施の一形態に係る画像形成システムの要部構成を示すブロック図である。
【図２】本発明の実施の一形態にかかる複写機のシステム構成を示すブロック図である。
【図３】本発明の実施の一形態にかかる複写機の操作部に表示される保存方法設定の操作画面例を示す図である。
【図４】監視画像を含む文書を示す図である。
【図５】監視画像設定処理の流れを示すフローチャートである。
【図６】画像処理を行った際の流れを示すフローチャートである。
【図７】本発明の第二の実施形において複写機が画像データをストレージサーバへ、履歴データを履歴管理サーバへ書き込む構成例を示す図である。
【符号の説明】
【００２９】
１０１  画像入力手段
１０２  画像処理手段
１０３  特徴抽出手段
１０４  判断手段
１０５  操作部
１０６  記憶部
２０００  コントローラユニット
２００１  ＣＰＵ
２００２  ＲＡＭ
２００３  ＲＯＭ
２００４  ＨＤＤ
２００５  イメージバスＩ／Ｆ
２００６  操作部Ｉ／Ｆ
２００７  システムバス
２００８  画像バス
２０１１  ＬＡＮ
２０１２  操作部
２０２０  デバイスＩ／Ｆ部
２０３０  画像回転部
２０４０  画像圧縮部
２０５０  モデム
２０５１  公衆回線
２０６０  ラスターイメージプロセッサ
２０７０  スキャナ
２０８０  スキャナ画像処理部
２０９０  プリンタ画像処理部
２０９５  プリンタ
２１００  ＩＣカードスロット
２１１０  暗号・復号処理部
【図１】
2006295446.tif 000003
【図２】
2006295446.tif 000004
【図３】
2006295446.tif 000005
【図４】
2006295446.tif 000006
【図５】
2006295446.tif 000007
【図６】
2006295446.tif 000008
【図７】
2006295446.tif 000009